(57)【特許請求の範囲】
【請求項１】
光または放射線撮像によって得られた画像を表示する光または放射線画像表示装置であって、前記画像の任意に選択された領域の画素値を、その領域の各座標にそれぞれ対応して行列状に配列された複数の数値データとして可視化して出力する出力手段と、前記数値データについて編集可能な編集手段と、その編集手段から数値データを編集すると対応する前記画像表示も連動して更新する画像表示更新手段と、前記編集手段による前記数値データの編集を行うための数値データを入力する入力手段と、を備え、前記編集手段による前記数値データの編集を表計算ソフトによって行い、その表計算ソフトの複数の行・複数の列からなる行列の各セルの数値データは、前記出力手段で可視化して出力する前記数値データと対応し、前記表計算ソフトで各セルの数値データが編集されると、対応する前記画像表示も連動して更新されることを特徴とする光または放射線画像表示装置。
【請求項２】
請求項１に記載の光または放射線画像表示装置において、前記画像から所定の領域を指定する領域指定手段を備え、その領域指定手段から指定された領域の画素値のみを、前記出力手段は前記数値データとして可視化して出力することを特徴とする光または放射線画像表示装置。
【請求項３】
請求項１または請求項２に記載の光または放射線画像表示装置において、前記数値データが、２進数、８進数、１０進数、１６進数のいずれかであることを特徴とする光または放射線画像表示装置。
【請求項４】
請求項１から請求項３のいずれかに記載の光または放射線画像表示装置において、前記数値データについて、２進数表示、８進数表示、１０進数表示、１６進数表示のいずれかの各表示に切り換え可能な切り換え表示手段を備えることを特徴とする光または放射線画像表示装置。
【請求項５】
請求項１から請求項４のいずれかに記載の光または放射線画像表示装置において、前記行列形状を保持した状態で、前記数値データを外部装置に転送可能な転送手段を備えることを特徴とする光または放射線画像表示装置。
【請求項６】
請求項１に記載の光または放射線画像表示装置において、前記行列形状を保持した状態で、前記編集手段によって編集された前記数値データを外部装置に転送可能な転送手段を備えることを特徴とする光または放射線画像表示装置。
【発明の詳細な説明】
【技術分野】
【０００１】
この発明は、医療分野、工業分野、さらには原子力分野などに用いられる光または放射線画像表示装置に関する。
【背景技術】
【０００２】
Ｘ線撮像によって得られた画像を表示するＸ線画像表示装置を例に採って説明する。Ｘ線画像表示装置はＸ線撮像装置に用いられ、Ｘ線撮像装置は、Ｘ線画像表示装置の他に、Ｘ線を照射するＸ線管や、照射されて被検体を透過したＸ線を検出するＸ線検出器などを備えている。Ｘ線検出器で検出されたデータをアナログ値からディジタル値に変換する。そのディジタル化されたデータに基づいてＸ線画像を得た後、その画像をＸ線画像表示装置のモニタに出力表示する。
【０００３】
医用診断などにＸ線撮像装置が用いられる場合には、例えば腫瘍などのように特定の画素領域の画素値を数値データとして把握したい場合がある。そのような場合には、ビデオ画像の分野において、例えばグラフィックカーソルを対象画素の位置に移動させると、そのカーソルが指し示す画素の画素値が数値データとして、Ｘ線画像とは別枠でモニタにて表示される（例えば、特許文献１参照）。
【特許文献１】特開平６−３５１０４８号公報（第２，３頁、図２）
【発明の開示】
【発明が解決しようとする課題】
【０００４】
しかしながら、このような場合には、カーソルが指し示す領域は１点のみであって、数値データも１点のみが別枠で表示される。したがって、医用診断などの場合において、Ｘ線画像での上下左右の周辺画素の様子を知るためには不便である。
【０００５】
この発明は、このような事情に鑑みてなされたものであって、周辺の画素を把握すること光または放射線画像表示装置を提供することを目的とする。
【課題を解決するための手段】
【０００６】
この発明は、このような目的を達成するために、次のような構成をとる。
すなわち、請求項１に記載の発明は、光または放射線撮像によって得られた画像を表示する光または放射線画像表示装置であって、前記画像の任意に選択された領域の画素値を、その領域の各座標にそれぞれ対応して行列状に配列された複数の数値データとして可視化して出力する出力手段と、前記数値データについて編集可能な編集手段と、その編集手段から数値データを編集すると対応する前記画像表示も連動して更新する画像表示更新手段と、前記編集手段による前記数値データの編集を行うための数値データを入力する入力手段と、を備え、前記編集手段による前記数値データの編集を表計算ソフトによって行い、その表計算ソフトの複数の行・複数の列からなる行列の各セルの数値データは、前記出力手段で可視化して出力する前記数値データと対応し、前記表計算ソフトで各セルの数値データが編集されると、対応する前記画像表示も連動して更新されることを特徴とするものである。
【０００７】
［作用・効果］請求項１に記載の発明によれば、出力手段は、光または放射線撮像によって得られた画像について、その画像の任意に選択された領域の画素値を、その領域の各座標にそれぞれ対応して行列状に配列された複数の数値データとして可視化して出力する。したがって、注目したい画素を含めて、その画素の周辺を選択すべき領域としたときに、周辺の画素値が行列状に配列された複数の数値データとして可視化して出力されるので、出力結果に基づいて周辺の画素を把握することができる。また、このような編集手段および画像表示更新手段を備えることで、編集された結果を画像全体に反映させることができる。また、入力手段を用いて編集手段による数値データの編集を簡易に行うことができる。また、表計算ソフトを起動させて数値データの編集を簡易に行うことができる。
【０００８】
上述した発明において、画像から所定の領域を指定する領域指定手段を備え、その領域指定手段から指定された領域の画素値のみを、出力手段は数値データとして可視化して出力するのが好ましい（請求項２に記載の発明）。このような領域指定手段を備えることで、画像中の任意の領域を所定の領域として指定し、その領域の画素を把握することができる。
【０００９】
また、数値データとして用いられるのは、２進数、８進数、１０進数、１６進数のいずれかである（請求項３に記載の発明）。かかる進数を用いることで数値データの可視化において汎用性が高くなる。
【００１０】
上述したこれらの発明において、数値データについて、２進数表示、８進数表示、１０進数表示、１６進数表示のいずれかの各表示に切り換え可能な切り換え表示手段を備えるのが好ましい（請求項４に記載の発明）。このような切り換え表示手段を備えることで、所望の進数に切り換えて表示することができる。
【００１１】
また、上述したこれらの発明において、上述した行列形状を保持した状態で、数値データを外部装置に転送可能な転送手段を備えるのが好ましい（請求項５に記載の発明）。このような転送手段を備えることで、外部装置に数値データを転送して、外部装置に数値データに関する処理を行わせることができる。
【００１４】
さらに、編集手段および画像更新手段を備えた発明（請求項１に記載の発明）において、行列形状を保持した状態で、編集手段によって編集された数値データを外部装置に転送可能な転送手段を備えるのが好ましい（請求項６に記載の発明）。このような転送手段を備えることで、編集された結果の数値データを外部装置に転送して、外部装置にその数値データに関する処理を行わせることができる。
【発明の効果】
【００１６】
この発明に係る光または放射線画像表示装置によれば、出力手段は、光または放射線撮像によって得られた画像について、その画像の任意に選択された領域の画素値を、その領域の各座標にそれぞれ対応して行列状に配列された複数の数値データとして可視化して出力するので、周辺の画素を把握することができる。
【実施例】
【００１７】
以下、図面を参照してこの発明の実施例を説明する。
図１は、実施例に係るＸ線透視撮影装置のブロック図であり、図２は、Ｘ線透視撮影装置に用いられている側面視したフラットパネル型Ｘ線検出器の等価回路であり、図３は、平面視したフラットパネル型Ｘ線検出器の等価回路であり、図４は、Ｘ線透視撮影装置に用いられるＸ線画像表示装置のブロック図である。撮像装置としてＸ線透視撮影装置を例に採って説明する。
【００１８】
本実施例に係るＸ線透視撮影装置は、図１に示すように、被検体Ｍを載置する天板１と、その被検体Ｍに向けてＸ線を照射するＸ線管２と、被検体Ｍを透過したＸ線を検出するフラットパネル型Ｘ線検出器（以下、適宜「ＦＰＤ」という）３とを備えている。
【００１９】
Ｘ線透視撮影装置は、他に、天板１の昇降および水平移動を制御する天板制御部４や、ＦＰＤ３の走査を制御するＦＰＤ制御部５や、Ｘ線管２の管電圧や管電流を発生させる高電圧発生部６を有するＸ線管制御部７や、ＦＰＤ３から電荷信号であるＸ線検出信号をディジタル化して取り出すＡ／Ｄ変換器８や、Ａ／Ｄ変換器８から出力されたＸ線検出信号に基づいて種々の処理を行う画像処理部９や、これらの各構成部を統括するコントローラ１０や、処理された画像などを記憶するメモリ部１１や、オペレータが入力設定を行う入力部１２や、処理された画像などを出力表示するモニタ１３や、処理された画像などを出力印刷するプリンタ１４などを備えている。なお、コントローラ１０、メモリ部１１、入力部１２、モニタ１３およびプリンタ１４でＸ線画像表示装置１５を構築する。Ｘ線画像表示装置１５は、この発明における光または放射線画像表示装置に相当する。
【００２０】
天板制御部４は、天板１を水平移動させて被検体Ｍを撮像位置にまで収容したり、昇降、回転および水平移動させて被検体Ｍを所望の位置に設定したり、水平移動させながら撮像を行ったり、撮像終了後に水平移動させて撮像位置から退避させる制御などを行う。ＦＰＤ制御部５は、ＦＰＤ３を水平移動させたり、被検体Ｍの体軸の軸心周りに回転移動させることによる走査に関する制御などを行う。高電圧発生部６は、Ｘ線を照射させるための管電圧や管電流を発生してＸ線管２に与え、Ｘ線管制御部７は、Ｘ線管２を水平移動させたり、被検体Ｍの体軸の軸心周りに回転移動させるによる走査に関する制御や、Ｘ線管３側のコリメータ（図示省略）の照視野の設定の制御などを行う。なお、Ｘ線管２やＦＰＤ３の走査の際には、Ｘ線管２から照射されたＸ線をＦＰＤ３が検出できるようにＸ線管２およびＦＰＤ３が互いに対向しながらそれぞれの移動を行う。
【００２１】
コントローラ１０は、中央演算処理装置（ＣＰＵ）などで構成されており、メモリ部１１は、ＲＯＭ（Read-only Memory）やＲＡＭ（Random-Access Memory）などに代表される記憶媒体などで構成されている。また、入力部１２は、マウスやキーボードやジョイスティックやトラックボールやタッチパネルなどに代表されるポインティングデバイスで構成されている。Ｘ線透視撮影装置では、被検体Ｍを透過したＸ線をＦＰＤ３が検出して、検出されたＸ線に基づいて画像処理部９で画像処理を行うことで被検体Ｍの撮像を行う。
【００２２】
ＦＰＤ３は、図２に示すように、Ｘ線などの放射線が入射することによりキャリアが生成される放射線感応型の半導体厚膜３１と、半導体厚膜３１の表面に設けられた電圧印加電極３２と、半導体厚膜３１の放射線入射側とは反対側にある裏面に設けられたキャリア収集電極３３と、キャリア収集電極３３への収集キャリアを溜める電荷蓄積用のコンデンサＣａと、コンデンサＣａに蓄積された電荷を取り出すための通常時ＯＦＦ（遮断）の電荷取り出し用のスイッチ素子である薄膜トランジスタ（ＴＦＴ）Ｔｒとを備えている。本実施例では、半導体厚膜３１は放射線の入射によりキャリアが生成される放射線感応型の物質、例えばアモルファスセレンで形成されているが、光の入射によりキャリアが生成される光感応型の物質であってもよい。
【００２３】
この他に、本実施例では、薄膜トランジスタＴｒのソースに接続されているデータ線３４と、薄膜トランジスタＴｒのゲートに接続されているゲート線３５とを備えており、電圧印加電極３２，半導体厚膜３１，キャリア収集電極３３，コンデンサＣａ，薄膜トランジスタＴｒ，データ線３４およびゲート線３５が絶縁基板３６の上に積層されて構成されている。
【００２４】
図２、図３に示すように、縦・横式２次元マトリックス状配列で多数個（例えば、1024個×1024個や4096×4096個）形成されたキャリア収集電極３３ごとに、上述した各々のコンデンサＣａおよび薄膜トランジスタＴｒがそれぞれ接続されており、それらキャリア収集電極３３，コンデンサＣａ，および薄膜トランジスタＴｒが各検出素子ＤＵとしてそれぞれ分離形成されている。また、電圧印加電極３２は、全検出素子ＤＵの共通電極として全面にわたって形成されている。また、上述したデータ線３４は、図３に示すように、横（Ｘ）方向に複数本に並列されているとともに、上述したゲート線３５は、図３に示すように、縦（Ｙ）方向に複数本に並列されており、各々のデータ線３４およびゲート線３５は各検出素子ＤＵに接続されている。また、データ線３４はアンプアレイ回路３７に接続されており、ゲート線３５はゲートドライバ回路３８に接続されている。なお、検出素子ＤＵの配列個数は上述の1024個×1024個や4096×4096個だけでなく、実施形態に応じて配列個数を変更して使用することができる。したがって、検出素子ＤＵが１個のみの形態であってもよい。
【００２５】
検出素子ＤＵは２次元マトリックス状配列で絶縁基板３６にパターン形成されており、検出素子ＤＵがパターン形成された絶縁基板３６は『アクティブ・マトリクス基板』とも呼ばれている。
【００２６】
また、ＦＰＤ３の検出素子ＤＵ周辺を作成する場合には、絶縁基板３６の表面に、各種真空蒸着法による薄膜形成技術やフォトリソグラフィ法によるパターン技術を利用して、データ線３４およびゲート線３５を配線し、薄膜トランジスタＴｒ，コンデンサＣａ，キャリア収集電極３３，半導体厚膜３１，電圧印加電極３２などを順に積層形成する。なお、半導体厚膜３１を形成する半導体については、アモルファス型の半導体や多結晶型の半導体などに例示されるように、用途や耐電圧などに応じて適宜選択することができる。
【００２７】
続いて、本実施例に係るＸ線透視撮影装置およびフラットパネル型Ｘ線検出器（ＦＰＤ）の作用について説明する。電圧印加電極３２に高電圧（例えば数１００Ｖ〜数１０ｋＶ程度）のバイアス電圧ＶAを印加した状態で、検出対象である放射線を入射させる。このバイアス電圧ＶAの印加の制御についてもＦＰＤ制御部５から行う。
【００２８】
放射線の入射によってキャリアが生成されて、そのキャリアが電荷情報として電荷蓄積用のコンデンサＣａに蓄積される。ゲートドライバ回路３８の信号取り出し用の走査信号（すなわちゲート駆動信号）によって、ゲート線３５が選択されて、さらに選択されたゲート線３５に接続されている検出素子ＤＵが選択指定される。その指定された検出素子ＤＵのコンデンサＣａに蓄積された電荷が、選択されたゲート線３５の信号によってＯＮ状態に移行した薄膜トランジスタＴｒを経由して、データ線３４に読み出される。
【００２９】
また、各検出素子ＤＵのアドレス（番地）指定は、データ線３４およびゲート線３５の信号取り出し用の走査信号（ゲート線３５の場合にはゲート駆動信号、データ線３４の場合にはアンプ駆動信号）に基づいて行われる。アンプアレイ回路３７やゲートドライバ回路３８に信号取り出し用の走査信号が送り込まれると、ゲートドライバ回路３８から縦（Ｙ）方向の走査信号（ゲート駆動信号）に従って各検出素子ＤＵが選択される。そして、横（Ｘ）方向の走査信号（アンプ駆動信号）に従ってアンプアレイ回路３７が切り換えられることによって、選択された検出素子ＤＵのコンデンサＣａに蓄積された電荷が、データ線３４を介してアンプアレイ回路３７に送り出される。そして、アンプアレイ回路３７で増幅されて、Ｘ線検出信号としてアンプアレイ回路３７から出力されてＡ／Ｄ変換器８に送り込まれる。
【００３０】
上述の動作によって、例えばＸ線透視撮影装置の透視Ｘ線像の検出に本実施例に係るＦＰＤ３を用いた場合、データ線３４を介して外部に読み出された電荷情報（Ｘ線検出信号）が画像情報に変換されて、Ｘ線透視画像（Ｘ線画像）として出力される。
【００３１】
なお、Ａ／Ｄ変換器８によって画像情報はディジタル化されて数値データの状態でメモリ部１１に記憶される。モニタ１３やプリンタ１４に出力する際には、数値データに応じて濃淡をつけて、被検体Ｍの撮像の領域を各画素にそれぞれ対応させる。各画素に濃淡をつけた像をＸ線画像として出力する。
【００３２】
本実施例に係るＸ線画像表示装置１５の具体的な構成については、図４に示すとおりである。すなわち、上述したコントローラ１０は、数値データについて編集可能な機能と、数値データを編集すると対応するモニタ１３上の画像表示（図５〜図７中のＸ線画像１３Ａを参照）も連動して更新する機能とを備えている。コントローラ１０は、この発明における編集手段および画像表示更新手段に相当する。
【００３３】
また、上述したメモリ部１１は、ＲＯＭ１１ＡとＲＡＭ１１Ｂとの領域に区分され、ＲＯＭ１１Ａにはプログラムが予め記憶されるとともに、ＲＡＭ１１Ｂには数値データとして画像が一旦記憶される。ＲＯＭ１１Ａからはプログラムを読み出してコントローラ１０がそのプログラムを実行する。本実施例では、ＲＯＭ１１Ａには表計算ソフト１１ａが予め記憶されており、表計算ソフト１１ａのプログラムを読み出してコントローラ１０がそのプログラムを実行することで、数値データの編集を行うことができる。表計算ソフト１１ａとしては、行列のセル（図８中の行１８Ａ、列１８Ｂを参照）に関連付けられたプログラムであれば、特に限定されず、例えばＭＩＣＲＯＳＯＦＴ  ＥＸＣＥＬ（登録商標）（マイクロソフト社）やＬｏｔｕｓ  １−２−３（登録商標）（ＩＢＭ社）などがある。
【００３４】
また、入力部１２は、Ｘ線画像から所定の領域（図６、図７中の符号１３Ｂを参照）を指定する機能と、入力部１２への入力によって上述した数値データの編集を行う機能とを備えている。入力部１２から指定された領域１３Ｂの画素値のみを、モニタ１３やプリンタ１４は数値データとして可視化して出力する。モニタ１３に出力表示する場合には、別枠（図６、図７中の符号１３Ｃを参照）に表示される。入力部１２は、この発明における領域指定手段および入力手段に相当する。
【００３５】
モニタ１３は、Ｘ線撮像によって得られた上述したＸ線画像を図５〜図７（符号１３Ａを参照）に示すように出力表示する。そして、入力部１２から指定された領域１３Ｂの画素値のみを、その領域１３Ｂの各座標にそれぞれ対応して行列状に配列された複数の数値データとして可視化して出力表示する。本実施例では、数値データを可視化してモニタ１３に出力表示する際には、図６、図７に示すように別枠１３Ｃに表示する。
【００３６】
プリンタ１４は、Ｘ線撮像によって得られた上述したＸ線画像を出力印刷する。そして、入力部１２から指定された領域１３Ｂの画素値のみを、モニタ１３と同じように複数の数値データとして可視化して出力印刷する。このように、モニタ１３およびプリンタ１４で、この発明における出力手段（本実施例では、図４中の出力部１７を参照）を構成する。
【００３７】
また、数値データは、２進数、８進数、１０進数、１６進数のいずれかであって、モニタ１３は、２進数表示、８進数表示、１０進数表示、１６進数表示のいずれかの各表示に切り換え可能な機能を備えている。本実施例では、１０進数表示と１６進数表示との切り換えの例を、図６、図７に示す。図６は、別枠１３Ｃが１０進数表示のときであって、図７は、別枠が１６進数表示のときである。モニタ１３は、この発明における切り換え表示手段にも相当する。
【００３８】
本実施例では、このような別枠１３Ｃ中の行列形状を保持した状態で、数値データをＸ線画像表示装置１５に対する外部装置に転送できるように構成している。本実施例では、例えばＬＡＮ（Local Area Network）ケーブルやＲＳ−２３２Ｃ規格のケーブルなどに代表される通信回線１６でＸ線画像表示装置１５中のコントローラ１０と外部装置とを電気的に接続し、コントローラ１０を介して通信回線１６によって転送することで、外部装置に転送する。さらに、本実施例では、編集された数値データをも外部装置に転送できるように構成している。通信回線１６は、この発明における転送手段に相当する。なお、転送手段であれば、ＬＡＮケーブルやＲＳ−２３２Ｃ規格のケーブルなどのような通信回線１６に限定されず、無線ＬＡＮなどのように赤外線や光などの電磁波を介して転送する手段であってもよい。
【００３９】
次に、数値データの具体的な表示態様について、図５〜図８を参照して説明する。図５に示すように、Ｘ線撮像によって得られたＸ線画像１３Ａをモニタ１３に出力表示する。このＸ線画像１３Ａは数値データと異なり、数値データに応じて濃淡をつけて、被検体Ｍの撮像の領域を各画素にそれぞれ対応させている。
【００４０】
次に、図６に示すように、入力部１２（図１、図４を参照）を用いてＸ線画像１３Ａから所定の領域１３Ｂを指定する。領域１３Ｂを指定する場合には、例えば、入力部１２のマウスで左右上下間でドラッグすることで左右上下間で囲まれた方形の領域を指定する、あるいは領域の基準となる座標を入力部１２のキーボードに入力することで入力された座標に基づく領域を指定するなど、通常において用いられる領域指定の入力手法であれば、特に限定されない。
【００４１】
その指定された領域１３Ｂの画素値のみを、その領域１３Ｂの各座標にそれぞれ対応して行列状に配列する。例えば、指定された領域１３Ｂが、行方向が２５６個分の画素、列方向が２５６個分の画素で構成される場合には、画素の各座標にそれぞれ対応するように行方向に２５６個分のセル、列方向に２５６個分のセルを用意する。そして、セルが対応する座標（画素）にある画素値に相当する数値データを各セルに出力することで、行列状に配列された複数の数値データとして可視化して出力する。出力の形態については、行列状に配列された複数の数値データをプリンタ１４に印刷出力してもよいし、行列状に配列された複数の数値データを、図６、図７に示すように別枠１３Ｃに表示してもよい。
【００４２】
本実施例では、別枠１３Ｃには、図６、図７に示すように進数表示切り換えボックス１３Ｄを表示している。本実施例では、この進数表示切り換えボックス１３Ｄには、２つのチェックボックスを設けており、いずれか一方のチェックボックスにマウスを合わせてクリックして『アクティブ』にすると、他方のチェックボックスは『インアクティブ』になる。
【００４３】
例えば、１０進数表示にするときには、進数表示切り換えボックス１３Ｄのうち、１０進数表示に関するチェックボックス（図６、図７では『ＤＥＣ』）にマウスを合わせてクリックして『アクティブ』にする。このとき、１６進数表示に関するチェックボックス（図６、図７では『ＨＥＸ』）は『インアクティブ』になる。すると、図６に示すように数値データは１０進数となって、１０進数表示に切り換えられる。
【００４４】
逆に、１６進数表示にするときには、進数表示切り換えボックス１３Ｄのうち、１６進数表示に関するチェックボックスにマウスを合わせてクリックして『アクティブ』にする。このとき、１０進数表示に関するチェックボックスは『インアクティブ』になる。すると、図７に示すように数値データは１６進数となって、１６進数表示に切り換えられる。
【００４５】
本実施例では、数値データを編集する際には、先ず、ＲＯＭ１１Ａ（図４を参照）に予め記憶された表計算ソフト１１ａのプログラムを読み出して、コントローラ１０（図１、図４を参照）がそのプログラムを実行する。プログラムが起動した後の表示態様を図８に示す。図８は、複数の行１８Ａ、複数の列１８Ｂからなる行列のセル（図８中ではシート１８を参照）に関する表示態様であって、図８中のシート１８の各セルにおける数値データと図６、図７中の別枠１３Ｃの各セルにおける数値データとが対応する。すなわち、プログラムが起動した後、別枠１３Ｃの各セルの数値データをシート１８に読み出して、図８に対応するように数値データをシート１８の各セルに出力する。
【００４６】
次に、入力部１２（図１、図４を参照）への入力によって実際の編集を行う。編集を行う場合には、例えば、入力部１２のマウスで更新変更したい数値データが出力されたセルをクリックする、あるいは入力部１２のキーボードのテンキーで上述したセルに移動して、その後にキーボードで更新変更したい数値データを入力することで数値データの編集を行うなど、通常において用いられる編集の入力手法であれば、特に限定されない。
【００４７】
このように、図８中のシート１８上で数値データを編集すると対応するＸ線画像１３Ａも連動して更新される。例えば、図８中のシート１８において、１番目の行１８Ａと、１番目の列１８Ｂとが交差するセル（以下、このセルを『Ａ１セル』と呼ぶ）の数値データを編集した場合には、そのＡ１セルに対応する図７中の別枠１３Ｃのセルにも数値データの編集結果が反映されるとともに、そのＡ１セルに対応した別枠１３Ｃのセルにさらに対応する図６、図７中の領域１３Ｂの各座標の画素値においても編集結果が反映される。例えば、数値データの値を上げた場合には、図６、図７中の領域１３Ｂの各座標の画素値が上がり、その結果、Ｘ線画像１３Ａの領域１３Ｂの一部が白くなる。逆に、数値データの値を下げた場合には、図６、図７中の領域１３Ｂの各座標の画素値が下がり、その結果、Ｘ線画像１３Ａの領域１３Ｂの一部が黒くなる。
【００４８】
もちろん、図８中のシート１８において、３番目の列（以下、この列を『Ｃ列』と呼ぶ）全体で数値データを編集した場合には、そのＣ列に対応する図７中の別枠１３Ｃのセル列にも数値データの編集結果が反映されるとともに、そのＣ列に対応した別枠１３Ｃのセル列にさらに対応する図６、図７中の領域１３Ｂの各座標の画素値においても編集結果が反映される。例えば、数値データの値を上げた場合には、図６、図７中の領域１３Ｂの各座標の画素値が上がり、その結果、Ｘ線画像１３Ａの領域１３Ｂの一部が列状に白くなる。逆に、数値データの値を下げた場合には、図６、図７中の領域１３Ｂの各座標の画素値が下がり、その結果、Ｘ線画像１３Ａの領域１３Ｂの一部が列状に黒くなる。
【００４９】
上述した本実施例に係るＸ線透視撮影装置に用いられるＸ線画像表示装置１５によれば、モニタ１３およびプリンタ１４からなる出力部１７は、Ｘ線撮像によって得られたＸ線画像１３Ａについて、そのＸ線画像１３Ａの任意に選択された領域１３Ｂの画素値を、その領域１３Ｂの各座標にそれぞれ対応して行列状に配列された複数の数値データとして可視化して出力する。したがって、注目したい画素を含めて、その画素の周辺を選択すべき領域１３Ｂとしたときに、周辺の画素値が行列状に配列された複数の数値データとして可視化して出力されるので、出力結果に基づいて周辺の画素を把握することができる。
【００５０】
本実施例では、入力部１２は、Ｘ線画像１３Ａから所定の領域１３Ｂを指定する機能を備えている。そして、その指定された領域１３Ｂの画素値のみを、出力部１３は数値データとして可視化して出力している。このような機能を備えることで、画像中の任意の領域１３Ｂを所定の領域１３Ｂとして指定し、その領域１３Ｂの画素を把握することができる。
【００５１】
本実施例では、数値データとして、１０進数および１６進数を例に採って説明したが、数値データとして用いられるのは、２進数、８進数、１０進数、１６進数のいずれかである。かかる進数を用いることで数値データの可視化において汎用性が高くなる。
【００５２】
また、本実施例では、数値データについて、１０進数表示、１６進数表示のいずれかの各表示に切り換え可能な機能をモニタ１３は備えている。このような機能を備えることで、所望の進数に切り換えて表示することができる。この場合においても、２進数表示、８進数表示、１０進数表示、１６進数表示のいずれかの各表示に切り換え可能であればよい。
【００５３】
また、本実施例では、行列状態を保持した状態で、数値データを外部装置に転送可能な通信回線１６を備えている。さらに、本実施例では、編集された数値データをも通信回線１６によって転送可能に構成している。このような通信回線１６を備えることで、外部装置に数値データや編集された結果の数値データを転送して、外部装置に各数値データに関する処理を行わせることができる。
【００５４】
また、本実施例では、コントローラ１０は、数値データについて編集可能な機能および数値データを編集すると対応する画像表示も連動して更新する機能を備えている。このような機能を備えることで、編集された結果を画像全体に反映させることができる。
【００５５】
また、本実施例では、入力部１２は、その入力部１２への入力によって数値データの編集を行う機能を備えている。したがって、入力部１２を用いて数値データの編集を簡易に行うことができる。
【００５６】
また、本実施例では、数値データの編集を、行列のセルに関連付けられた表計算ソフト１１ａによって行っている。表計算ソフト１１ａを起動させて数値データの編集を簡易に行うことができる。
【００５７】
この発明は、上記実施形態に限られることはなく、下記のように変形実施することができる。
【００５８】
（１）上述した実施例では、図１に示すようなＸ線透視撮影装置にＸ線画像表示装置１５は用いられていたが、この発明は、例えばＣ型アームに配設されたＸ線透視撮影装置に適用してもよい。また、この発明は、Ｘ線ＣＴ装置にも適用してもよい。また、撮像装置に限定されず、非破壊検査装置に用いられてもよい。
【００５９】
（２）上述した実施例では、Ｘ線を検出するフラットパネル型Ｘ線検出器を例に採って説明したが、イメージインテンシファイアに代表されるＸ線検出器であってもよいし、この発明は、ＥＣＴ（Emission Computed Tomography）装置のように放射性同位元素（ＲＩ）を投与された被検体から放射されるγ線を検出するγ線検出器に例示されるように、放射線を検出する放射線検出器であれば特に限定されない。同様に、この発明は、上述したＥＣＴ装置に例示されるように、放射線を検出して撮像を行う装置に用いられる放射線画像表示装置であれば特に限定されない。
【００６０】
（３）上述した実施例では、上述した各実施例では、Ｘ線などに代表される放射線検出器を例に採って説明したが、この発明は、光を検出する光検出器にも適用できる。したがって、光を検出して撮像を行う装置に用いられる光画像表示装置であれば特に限定されない。
【００６１】
（４）上述した実施例では、入力部１２は、Ｘ線画像１３Ａから所定の領域１３Ｂを指定する機能を備え、その指定された領域１３Ｂの画素値のみを、出力部１３は数値データとして可視化して出力したが、かかる入力部１２の機能を外部装置が備え、外部装置で画像の任意に選択された領域の画素値を、出力部１３は数値データとして可視化して出力してもよい。
【００６２】
（５）上述した実施例では、数値データについて、１０進数表示、１６進数表示のいずれかの各表示に切り換え可能な機能をモニタ１３は備えたが、それ以外の各表示に切り換え可能な機能を備えてもよい。例えば、２進数表示、８進数表示のいずれかの各表示に切り換え可能な機能を備えてもよいし、２進数表示、８進数表示、１０進数表示のいずれかの各表示に切り換え可能な機能を備えてもよい。また、１つの進数のみで表示し、他の真数表示に切り替えないようにモニタ１３を構成してもよい。なお、２進数表示や１６進数表示の場合には、装置のデバッグ時（検査や修理時）に特に有効である。
【００６３】
（６）上述した実施例では、行列形状を保持した状態で、数値データや編集された数値データを外部装置に転送可能な通信回線１６を備えたが、必ずしも備える必要はない。また、編集された数値データについては外部装置に転送せずに、編集される前の数値データのみを外部装置に転送するように構成してもよい。
【００６４】
（７）上述した実施例では、コントローラ１０は、数値データについて編集可能な機能および数値データを編集すると対応する画像表示も連動して更新する機能を備えたが、必ずしも備える必要はない。かかる数値データを外部装置に転送して、外部装置において数値データについて編集を行うように構成してもよい。
【００６５】
（８）上述した実施例では、入力部１２への入力によって数値データの編集を行う機能を入力部１２は備えたが、必ずしもそのような機能を備える必要はない。編集後の数値データをプログラムに予め組み込み、編集の際にそのプログラムを読み出すことで、プログラムに組み込まれた数値に編集するように構成してもよい。
【００６６】
（９）上述した実施例では、数値データの編集を、行列のセルに関連付けられた表計算ソフト１１ａによって行ったが、表計算ソフト１１ａに限定されない。例えば、テキストエディタに数値データを貼り付けて、そのテキストエディタ上で編集を行って、数値データに再度書き込むことで編集を行ってもよい。また、図６、図７中の別枠１３Ｃの各セルに直接書き込むことで編集を行ってもよい。また、図６、図７中の別枠１３Ｃのシートを表計算ソフト１１ａにリンクさせて組み込み、その表計算ソフト１３ａにリンクされた状態で別枠１３Ｃの各セルに直接書き込むことで編集を行ってもよい。この他に、図６、図７中の別枠１３Ｃの各セルの数値データを複写して、表計算ソフト１１ａによって起動したシートをその複写先に指定して、貼り付けて編集を行ってもよい。また、表計算ソフト１１ａの各セルに計算式（例えばＭＩＣＲＯＳＯＦＴ  ＥＸＣＥＬの場合には、関数ｆｘ）を埋め込んで、表計算ソフト１１ａによって起動したシートに数値データが入力されたらその計算式に基づいて各セルに出力するようにしてもよい。
【００６７】
（１０）上述した実施例のように白黒の画像に適用してもよいし、ＲＧＢのようにカラーの画像に適用してもよい。ＲＧＢの場合には、ＲＧＢごとに数値データをそれぞれ分けて出力すればよい。
【図面の簡単な説明】
【００６８】
【図１】実施例に係るＸ線透視撮影装置のブロック図である。
【図２】Ｘ線透視撮影装置に用いられている側面視したフラットパネル型Ｘ線検出器の等価回路である。
【図３】平面視したフラットパネル型Ｘ線検出器の等価回路である。
【図４】Ｘ線透視撮影装置に用いられるＸ線画像表示装置のブロック図である。
【図５】Ｘ線画像のみに関する表示態様の一例を示す図である。
【図６】Ｘ線画像および別枠に関する表示態様であって、別枠が１０進数表示のときの態様の一例を示す図である。
【図７】Ｘ線画像および別枠に関する表示態様であって、別枠が１６進数表示のときの態様の一例を示す図である。
【図８】複数の行、複数の列からなる行列のセルに関する表示態様の一例を示す図である。
【符号の説明】
【００６９】
１０  …  コントローラ
１１Ａ  …  ＲＯＭ
１１ａ  …  表計算ソフト
１２  …  入力部
１３  …  モニタ
１３Ａ  …  Ｘ線画像
１３Ｂ  …  領域
１３Ｃ  …  別枠
１４  …  プリンタ
１５  …  Ｘ線画像表示装置
１６  …  通信回線
１７  …  出力部
【図１】
0004622700.tif 000002
【図２】
0004622700.tif 000003
【図３】
0004622700.tif 000004
【図４】
0004622700.tif 000005
【図５】
0004622700.tif 000006
【図６】
0004622700.tif 000007
【図７】
0004622700.tif 000008
【図８】
0004622700.tif 000009